(57)【要約】【課題】  スクリーンのサイズの異なるリアプロジェクション装置に対して共通で使用できる投写レンズ装置を提供する。【解決手段】  ４０インチのスクリーンの場合には、ピン３６を凹面２８に当接させて、第１、第２鏡筒２１、２３を固定リング２５で一体に連結する。６０インチのスクリーンの場合には、ピン３６を凸面２７に当接させて、第１、第２鏡筒２１、２３を固定リング２５で一体に連結する。これにより、第１鏡筒２１に保持された第１レンズ群と第２鏡筒２３に保持された第２レンズ群のレンズ間隔を、スクリーンサイズに対応した所定のレンズ間隔に切り替えることができる。よって、４０インチ又は６０インチのスクリーンに投映された画像にピント調節が行われた際に、収差補正の行われた高精度な投写画像が得られる。【選択図】        図２
2006023499.tif 000002
【特許請求の範囲】
【請求項１】
光軸方向に離間した第１レンズ群と第２レンズ群とを有し、筐体に固定されたスクリーンに背面側から画像光を投写するリアプロジェクタの投写レンズ装置において、
前記第１レンズ群を保持するとともに固定筒に対して光軸方向に移動自在に組み込まれた第１鏡筒と、
前記第２レンズ群を保持するとともに、前記第１鏡筒に対して光軸方向に移動自在に組み込まれた第２鏡筒と、
前記第１、第２鏡筒のいずれか一方に設けられ光軸方向で互いに高さが異なる複数の受け面と、前記第１、第２鏡筒の他方に設けられ前記受け面のいずれかに光軸方向から当接する当接部とからなり、この当接部が当接する受け面の選択に応じて第１レンズ群と第２レンズ群との間隔を切り替えるレンズ間隔調整手段とを備えたことを特徴とするリアプロジェクタの投写レンズ装置。
【請求項２】
前記第１、第２鏡筒のいずれか一方に固定リングが螺合され、この固定リングを回動して光軸方向の一方に移動させることによって、他方の鏡筒が前記一方の鏡筒に引き寄せられ、前記受け面と当接部とが当接するとともに第１鏡筒と第２鏡筒とが一体に連結されることを特徴とする請求項１記載のリアプロジェクションの投写レンズ装置。
【請求項３】
複数の受け面は前記一方の鏡筒に光軸を中心とする円周方向に配列して設けられ、前記固定リングを緩めてから第１鏡筒と第２鏡筒とを光軸を中心に相対的に回転させることによって前記当接部が当接する受け面の選択が行われることを特徴とする請求項２記載のリアプロジェクタの投写レンズ装置。
【請求項４】
前記複数の受け面は前記一方の鏡筒の外周に互いに隣接して設けられるとともに、この複数の受け面は前記一方の鏡筒の外周を円周方向で等分割するように複数組設けられ、前記当接部は前記他方の鏡筒の外周に前記受け面の各組に対応して複数個設けられており、第１鏡筒と第２鏡筒とは、一つの当接部に対して一組を構成する複数の受け面の中から一つを選択し得る範囲内で相互に回転規制されていることを特徴とする請求項３記載のリアプロジェクタの投写レンズ装置。
【発明の詳細な説明】
【技術分野】
【０００１】
本発明は、スクリーンの背面側から画像光を投写するリアプロジェクタに設けられた投写レンズ装置に関するものである。
【背景技術】
【０００２】
近年、リア方式のプロジェクタを大画面テレビジョンとして構成したリアプロジェクション装置が注目されている（特許文献１及び２参照）。リアプロジェクション装置は、筐体にスクリーンが組み込まれており、スクリーンの背後に設置された平面鏡と、平面鏡に向けて画像光を投写するプロジェクタユニットとが設けられている。プロジェクタユニットは、スクリーン側から順に配した投写レンズ装置、画像表示素子、及び、照明ランプからなり、照明ランプで画像表示素子を照明し、画像表示素子で表示する画像の光（画像光）を投写レンズ装置で拡大してスクリーンに背面側から投映する。投映した画像は、スクリーンの前面側から鑑賞する。
【０００３】
リアプロジェクション装置は、奥行きを短くするために、投映距離を短くし、かつ画像表示素子の画面サイズ、例えば１インチの画面を、スクリーンの画面サイズである４０〜６０インチにまで拡大するため、投写レンズ装置には広角で非球面のレンズが用いられている。また、一般的に近距離の被写体にピントを合わせる時には、レンズ全体を被写体に近づけて移動させる。この場合、レンズの像面の湾曲などによる収差変動、特に球面収差が生じるので良好、かつ高精度な画像が得られない。
【０００４】
また、リアプロジェクション装置は、アスペクト比が同じでスクリーンのサイズが異なるものが多数提供されている。これらの種類のものは、筺体の大きさ以外に、画像表示素子の表示面とスクリーン面との間の投映距離、及び、表示範囲がスクリーンに合うときの画角（スクリーンの対角線の長さに対する角度）も異なる。このため、スクリーンのサイズに応じた画角で作った投写レンズ装置を複数用意するか、もしくは、投写レンズ装置の位置を、性能変化の許容する範囲内で変更して使用していた。
【０００５】
【特許文献１】特開２００２−１０７６６３号公報
【特許文献１】特開２００２−３５７７６８号公報
【発明の開示】
【発明が解決しようとする課題】
【０００６】
しかし、スクリーンのサイズに応じた仕様の異なる複数の投写レンズ装置を作ると、コストが高く付くとともに種類毎の管理が手間となる。また、投写レンズ装置の取り付け位置を変更して使用した場合には、投写レンズ装置は最適な状態で使用されていないので、高精度の投写画像が得られないという問題があった。
【０００７】
本発明は、上記問題点を考慮してなされたもので、スクリーンのサイズの異なるリアプロジェクション装置に対して共通で使用できる投写レンズ装置を提供することを目的とする。
【課題を解決するための手段】
【０００８】
上記目的を達成するために、本発明の投写レンズ装置は、光軸方向に離間した第１レンズ群と第２レンズ群とを有し、筐体に固定されたスクリーンに背面側から画像光を投射するリアプロジェクタの投射レンズ装置において、前記第１レンズ群を保持するとともに固定筒に対して光軸方向に移動自在に組み込まれた第１鏡筒と、前記第２レンズ群を保持するとともに、前記第１鏡筒に対して光軸方向に移動自在に組み込まれた第２鏡筒と、前記第１、第２鏡筒のいずれか一方に設けられた光軸方向で互いに高さが異なる複数の受け面と、前記第１、第２鏡筒の他方に設けられ前記受け面のいずれかに光軸方向から当接する当接部とからなり、この当接部が当接する受け面の選択に応じて第１レンズ群と第２レンズ群との間隔を切り替えるレンズ間隔調整手段とを備えたものである。また、前記第１、第２鏡筒のいずれか一方に固定リングが螺合され、この固定リングを回動して光軸方向の一方に移動させることによって、他方の鏡筒が前記一方の鏡筒に引き寄せられ、前記受け面と当接部とが当接するとともに第１鏡筒と第２鏡筒とが一体に連結されるようにしてもよい。
【０００９】
また、複数の受け面は、前記一方の鏡筒に光軸を中心とする円周方向に配列して設けられ、前記固定リングを緩めてから第１鏡筒と第２鏡筒とを光軸を中心に相対的に回転させることによって、前記当接部が当接する受け面の選択が行われるようにしてもよい。また、前記複数の受け面は、前記一方の鏡筒の外周に互いに隣接して設けられるとともに、この複数の受け面は前記一方の鏡筒の外周を円周方向で等分割するように複数組設けられ、前記当接部は前記他方の鏡筒の外周に前記受け面の各組に対応して複数個設けられており、第１鏡筒と第２鏡筒とは、一つの当接部に対して一組を構成する複数の受け面の中から一つを選択し得る範囲内で、相互に回転規制されるようにしてもよい。
【発明の効果】
【００１０】
本発明によれば、第１レンズ群を保持するとともに固定筒に対して光軸方向に移動自在に組み込まれた第１鏡筒と、第２レンズ群を保持するとともに第１鏡筒に対して光軸方向に移動自在に組み込まれた第２鏡筒と、第１、第２鏡筒のいずれか一方に設けられた光軸方向で互いに高さが異なる複数の受け面と、第１、第２鏡筒の他方に設けられ受け面のいずれかに光軸方向から当接する当接部とからなり、この当接部が当接する受け面の選択に応じて第１レンズ群と第２レンズ群との間隔を切り替えるレンズ間隔調整手段とを備えたので、異なるサイズのスクリーンを備えたリアプロジェクション装置に、共通して投写レンズ装置を使用できるからコスト削減となる。また、第１、第２鏡筒のいずれか一方に固定リングが螺合され、この固定リングを回動して光軸方向の一方に移動させることによって、他方の鏡筒が一方の鏡筒に引き寄せられ、受け面と当接部とが当接するとともに第１鏡筒と第２鏡筒とが一体に連結されるようにしたので、ピント調整などによって第１レンズ群と第２レンズ群のレンズ間隔が変更することがなく、プロジェクタへの取り付けが容易になる。
【００１１】
また、複数の受け面は、一方の鏡筒に光軸を中心とする円周方向に配列して設けられ、固定リングを緩めてから第１鏡筒と第２鏡筒とを光軸を中心に相対的に回転させることによって、当接部が当接する受け面の選択が行われるようにし、さらに、複数の受け面は、一方の鏡筒の外周に互いに隣接して設けられるとともに、この複数の受け面は一方の鏡筒の外周を円周方向で等分割するように複数組設けられ、当接部は他方の鏡筒の外周に受け面の各組に対応して複数個設けられており、第１鏡筒と第２鏡筒とは、一つの当接部に対して一組を構成する複数の受け面の中から一つを選択し得る範囲内で、相互に回転規制されるようにしたので、スクリーンのサイズに対応したレンズ間隔への変更が容易である。
【発明を実施するための最良の形態】
【００１２】
図１に示すように、リアプロジェクション装置２は、その断面が略台形状をした筐体５と、筐体５の前面に設けられたスクリーン６と、平面鏡７と、プロジェクタ８とを備えている。プロジェクタ８は、支持板９に固定された状態で筐体５の下部に内蔵され、外部から入力された映像信号に基づいて画像光を投写する。平面鏡７は、スクリーン６の背後に位置する筐体５の上部に内蔵され、プロジェクタ８から投写された画像光をスクリーン６に向けて反射する。
【００１３】
プロジェクタ８は、投写レンズ装置１０、ユニット本体１１、ランプハウジング１２からなる。詳しくは後述するが、投写レンズ装置１０は、４０インチ又は６０インチのスクリーン６を備えたリアプロジェクション装置２に共通して使用可能である。投写レンズ装置１０は、スクリーン６と画像表示素子の表示面との中心を結ぶ中心線１５ａ上に投映レンズの光軸が一致するようにユニット本体１１に取り付けられ、スクリーン６のサイズ（４０インチ又は６０インチ）に応じた像倍率で投映されるように調整されている。ユニット本体１１には、画像表示素子などが内蔵され、ランプハウジング１２には、照明ランプが内蔵されている（図４参照）。
【００１４】
図２及び図４，５に示すように、投写レンズ装置１０は、第１レンズ群２０を保持している第１鏡筒２１と、第２レンズ群２２を保持している第２鏡筒２３と、第１鏡筒２１及び第２鏡筒２３を一体に連結する固定リング２５と、ユニット本体１１に固定され、固定リング２５によって一体に連結された第１鏡筒２１及び第２鏡筒２３を光軸方向に移動自在に組み込む固定筒２６から構成されている。なお、投映距離を極端に短くして筐体５の薄型化を図るために、第１レンズ群２０の一部には非球面レンズを使用しており、第１レンズ群２０及び第２レンズ群２２によって投写レンズが構成されている。
【００１５】
第１鏡筒２１の後端筒部２１ａの端面には、光軸方向で互いに高さの異なる凸面２７及び凹面２８が所定の間隔で円周方向に沿って形成されている。そして、受け面である凸面２７及び凹面２８は、互いに隣接しあう凸面２７と凹面２８が２面で１組となるように予め形成されている。つまり、本実施形態の第１鏡筒２１には、凸面２７と凹面２８による組あわせが６組設けられている。また、凸面２７及び凹面２８が設けられた後端筒２１ａの外周面には、固定リング２５に設けられた雌ネジ部２５ａを螺合する雄ネジ部３０が設けられている。さらに、第１鏡筒２１の外周面には、雄ヘリコイド３１及び固定フランジ３２が設けられている。雄ヘリコイド３１は、第１鏡筒２１を固定筒２６に組み込んだ際に、固定筒２６の内周面に設けられた雌ヘリコイド２６ａと係合し、第１鏡筒２１を光軸方向に移動させる。固定フランジ３２は、固定筒２６に設けられた固定ナット３３を当接させることで、第１鏡筒２１の光軸方向への移動を規制する。
【００１６】
第２鏡筒２３の先端部の外径は、第１鏡筒２１の内径とほぼ同じ大きさを有している。そして、第２鏡筒２３を第１鏡筒２１の後方から挿入すると、第２鏡筒２３は第１鏡筒２１の内部で光軸を中心に回転自在である。第２鏡筒２３にはフランジ部３５が設けられている。フランジ部３５は、第１鏡筒２１の後端筒部２１ａの外径とほぼ同じ大きさを有している。図にも示すように、フランジ部３５の側面には、フランジ部３５の円周方向に沿って一定間隔で側面から突出するピン３６が設けられている。当接部であるピン３６は、前述の凸面２７と凹面２８からなる各組に対応して設けられており、フランジ部３５の側面には６本のピン３６が設けられている。第２鏡筒２３が第１鏡筒２１に挿入され、６本のピン３６が凸面２７又は凹面２８に当接する際には、６本のピン３６は全て同じ種類の面（凸面２７又は凹面２８）に当接する間隔で設けられている。
【００１７】
なお、ピン３６と、凸面２７及び凹面２８によって、第１レンズ群２０と第２レンズ群２２のレンズ間隔を切り替えるレンズ間隔調整機構が構成されている。さらに、本実施形態において、ピン３６が凸面２７に当接した際の第１レンズ群２０と第２レンズ群２２のレンズ間隔（以後、レンズ間隔という）は、６０インチのスクリーンに投写した画像にピントを合わせた際に、レンズの湾曲などによる球面収差を最も低減するレンズ間隔となっている。同様に、ピン３６が凹面２８に当接した際のレンズ間隔は、４０インチのスクリーンに投写した画像にピントを合わせた際に、球面収差を最も低減するレンズ間隔となっている。
【００１８】
また、第２鏡筒２３の外周面には、第２鏡筒２３の回転を規制する突起部４０が設けられている。この突起部４０は、第２鏡筒２３が第１鏡筒２１に挿入されると、第１鏡筒２１の内周面に一定間隔で設けられた回転規制部４１の間に挿入される。ピン３６と凸面２７及び凹面２８が干渉しない位置で、第２鏡筒２３の後方から見て光軸を中心に時計方向又は反時計方向に第２鏡筒２３を回転させると、回転規制部４１の間に挿入された突起部４０が回転規制部４１と当接し、第２鏡筒２３の回転範囲が規制される。例えば、第２鏡筒２３を回転規制されるまで時計方向に回転させた場合には、ピン３６に対応する組の凹面２８の上方にピン３６が配置される。そして、第２鏡筒２３を回転規制されるまで反時計方向に回転させた場合には、ピン３６に対応する組の凸面２８の上方にピン３６が配置されるようにするのが好ましい。なお、第２鏡筒２３を時計方向に回転させた場合に、ピン３６を凸面２７の上方に、反時計方向に回転させた場合に、ピン３６を凹面２８の上方に配置するようにしてもよい。また、第２鏡筒２３を回転させずに、第１鏡筒２１を回転させてもよい。
【００１９】
固定リング２５は、大きさの異なる開口が２つ設けられている。固定リング２５の一方の端面に設けられた大きい開口２５ｂは、第１鏡筒２１の後端筒部２１ａの外径とほぼ同じ大きさを有しており、その内周面には、後端筒部２１ａの外周面に形成された雄ネジ部３０と螺合する雌ネジ部２５ａが形成されている。また、他方の端面に設けられた小さい開口２５ｃは、第２鏡筒２３の後端部２３ａの外径より僅かに大きく形成されている。固定リング２５は、第１鏡筒２１に挿入された第２鏡筒２３の後方から、第２鏡筒２３の後端部２３ａが開口２５ｃから突出するように取り付けられ、雄ネジ部３０と雌ネジ部２５ａを螺合させて、固定リング２５を第１鏡筒２１に固定する。
【００２０】
このとき、ピン３６が凸面２７の上方に配置するように第２鏡筒２３を第１鏡筒２１に挿入した場合は、雄ネジ部３０と雌ネジ部２５ａの螺合によって、固定リング２５が第１鏡筒２１に近づくように光軸方向に移動するので、固定リング２５の縁部４６と第２鏡筒２３のフランジ部３５が当接する。これにより、第２鏡筒２３は第１鏡筒２１に引き寄せられて、ピン３６と凸面２７が当接するので、所定のレンズ間隔で第１鏡筒２１と第２鏡筒２３が一体に連結される。なお、ピン３６を凸面２７の上方に配置した場合を説明したが、ピン３６を凹面２８の上方に配置した場合も同様に、第２鏡筒２３が挿入された第１鏡筒２１に固定リング２５を固定すると、ピン３６と凹面２８が当接し、所定のレンズ間隔で第１鏡筒２１と第２鏡筒２３は一体に連結される。
【００２１】
固定筒２６は、その一方の端部にユニット本体１１と当接する当接フランジ５０が設けられており、この当接フランジ５０には固定筒２６をユニット本体１１に固定する際に、ネジ５３を挿入する挿入孔４９が形成されている。固定筒２６をユニット本１１に固定する場合は、挿通孔４９から挿通させたネジ５３をユニット本体１１に設けられたネジ孔５４に螺合させる。固定筒２６の他方の端部の外周面には、固定ナット３３に設けられた雌ネジ部３３ａと螺合する雄ネジ部５１が設けられている。また、固定筒２６の内周面には、第１鏡筒２１に設けられた雄ヘリコイド３１と係合させ、第１鏡筒２１を回転させることで、第１鏡筒２１を光軸方向に移動させる雌ヘリコイド２６ａが設けられている。
【００２２】
固定リング２５によって一体に連結された第１鏡筒２１及び第２鏡筒２３を固定筒２６に組み付ける場合には、固定筒２６の前方から連結された第１鏡筒２１及び第２鏡筒２３を挿入し、第１鏡筒２１の雄ヘリコイド３１と固定筒２６の雌ヘリコイド２６ａを係合させる。そして、第１鏡筒２１を回転させることで、第１、第２鏡筒２１，２３を一体で光軸方向に移動させ、画像のピント調整が行われる。ピント調整が完了すると、固定ナット３３を回転させて、固定ナット３３の側面が第１鏡筒２１の固定フランジ３２の側面に当接するまで光軸方向に固定ナット３３を移動させる。これにより、第１鏡筒２１が前方に押されるので、雄ヘリコイド３０が雌ヘリコイド２６ａに強く押し付けられて、第１鏡筒２１の光軸方向への移動が規制される。
【００２３】
図３に示すように、ユニット本体１１には、複数の全反射ミラー５５、ダイクロイックミラー５６、５７と、３枚の透過型の液晶パネル５８Ｒ、５８Ｇ，５８Ｂと、クロスダイクロイックプリズム５９が設けられている。ダイクロイックミラー５６には、照明ランプ６０から放射された白色光が入射する。
【００２４】
ダイクロイックミラー５６は、白色光に含まれる青色光（Ｂ光）を反射し、赤色光（Ｒ光）、緑色光（Ｇ光）を透過することにより白色光からＢ光を分離する。分離されたＢ光は液晶パネル５８Ｂに入射する。ダイクロイックミラー５６を透過したＲ光及びＧ光は、ダイクロイックミラー５７に入射する。ダイクロイックミラー５７はＲ光を透過し、Ｇ光を反射してＲ光とＧ光を分離する。Ｒ光とＧ光は、それぞれ液晶パネル５８Ｒと液晶パネル５８Ｇに入射する。
【００２５】
液晶パネル５８Ｒ，５８Ｇ，５８Ｂに入射したＲ光、Ｇ光、Ｂ光は、各液晶パネルを透過することにより画像情報が付与される。各液晶パネル５８Ｒ，５８Ｇ，５８Ｂを透過した光束は、クロスダイクロイックプリズム５９に入射する。クロスダイクロイックプリズム５９では、画像情報が付与された各色の光束が合成され、合成された光束が投写レンズ装置１０に入射する。投写レンズ装置１０は、入射した光束を拡大投写してスクリーン６上に結像させる。表示面は、液晶パネル５８Ｒ，５８Ｇ，５８Ｂにそれぞれ相当する。
【００２６】
次に上記構成の作用について説明する。図４に示すように、４０インチのスクリーン６を備えたリアプロジェクション装置に投写レンズ装置１０を使用する場合には、筐体の下部で支持板に固定されたユニット本体１１に、固定筒２６をネジ５３によって固定する。そして、凹面２８にピン３６を当接させた状態で、固定リング２５によって一体に連結された第１鏡筒２１と第２鏡筒２３を固定筒２６の前方から挿入し、第１鏡筒２１に設けられた雄ヘリコイド３１と固定筒２６に設けられた雌ヘリコイド２６ａを係合させる。そして、第１鏡筒２１を回転させ、連結された第１鏡筒２１と第２鏡筒２３を光軸方向に移動させてピント調整が行われる。４０インチのスクリーン６に投写された画像にピントが合った際には、固定筒２６の設けられた固定ナット３３を回転させて、固定ナット３３の側面と第１鏡筒２１の固定フランジ３２の側面を当接させる。これにより、一体に連結された第１鏡筒２１と第２鏡筒２３の光軸方向の移動が規制され、第１鏡筒２１と第２鏡筒２３はピントが合った位置で固定される。このとき、ピン３６が凹面２８に当接した状態で第１鏡筒２１と第２鏡筒２３が一体に連結されているので、ピントが合った際に、球面収差が最も低減されるレンズ間隔となっているので、高精度な投写画像を得ることができる。
【００２７】
また、図５に示すように、６０インチのスクリーン６を備えたリアプロジェクション装置に投写レンズ装置１０を使用する場合には、筐体の下部で支持板に固定されたユニット本体１１に、固定筒２６をネジ５３によって固定する。そして、凸面２７にピン３６を当接させ、固定リング２５によって一体に連結された第１鏡筒２１と第２鏡筒２３を固定筒２６の前方から挿入し、第１鏡筒２１に設けられた雄ヘリコイド３１と固定筒２６に設けられた雌ヘリコイド２６ａを係合させる。そして、第１鏡筒２１を回転させ、連結された第１鏡筒２１及び第２鏡筒２３を光軸方向に移動させてピント調整が行われる。６０インチのスクリーン６に投写された画像にピントが合った際には、固定筒２６の設けられた固定ナット３３を回転させて、固定ナット３３の側面と第１鏡筒２１の固定フランジ３２の側面を当接させる。これにより、連結された第１鏡筒２１と第２鏡筒２３の光軸方向の移動が規制され、第１鏡筒２１と第２鏡筒２３はピントが合った位置で固定される。このとき、ピン３６が凸面２７に当接した状態で第１鏡筒２１と第２鏡筒２３が一体に連結されているので、ピントが合った際に、球面収差が最も低減されるレンズ間隔となっているので、高精度な投写画像を得ることができる。
【００２８】
また、４０インチのスクリーン用にセットされた投写レンズ装置１０を６０インチ用に変更する際には、固定リング２５を緩める。そして、第２鏡筒２３のピン３６が凸面２７および凹面２８と干渉しない位置まで第２鏡筒２３を第１鏡筒２１の後方に引き抜いて、回転が規制されるまで第２鏡筒２３を反時計方向に回転させる。第２鏡筒２３の回転が規制されると、ピン３６は、凹面２８の上方から凸面２７の上方に移動する。そして、固定リング２６を回転させて第１鏡筒２１に固定すると、ピン３６が凸面２７に当接し、第１鏡筒２１と第２鏡筒２３が一体に連結されるので、４０インチのスクリーン６で高精度な画像を投写できるレンズ間隔から、６０インチのスクリーン６で高精度な画像を投写できるレンズ間隔に容易に変更できる。
【００２９】
上記実施形態では、４０インチと６０インチの２種類のスクリーン６に共通して使用できる投写レンズ装置１０を説明したが、第１鏡筒２１にピン３６を当接させる受け面を３種類以上形成し、投写レンズ装置１０を３種類以上のスクリーンに共通して使用できるようにしてもよい。この場合には、各種スクリーンのサイズに応じて、収差補正が行えるレンズ間隔となるような受け面を設ければよい。また、各受け面に対応するスクリーンのサイズを示す指標を設けることが好ましい。これにより、ピン３６を当接させる受け面が容易に判別できるので、第１鏡筒２１と第２鏡筒２３を一体に連結させる際の、作業性が向上する。
【００３０】
なお、上記実施形態では、ユニット本体１１に三枚の透過型の液晶パネル５８Ｒ，５８Ｇ，５８Ｂが設けられた三板式プロジェクタについてのみ述べているが、反射型の液晶パネルやデジタルマイクロミラーデバイス等の他の画像表示素子が設けられているものについても本発明を同様に適用できる。また、画像光をスクリーンに向けて反射する反射部材として、一枚の平面鏡だけを使用した構成としているが、これに限らず、長大な投映距離を確保するために複数枚の平面鏡を用いた構成にしてもよい。
【００３１】
また、第１鏡筒２１と第２鏡筒２３を一体に連結する際に固定リング２５を用いたが、これに限らず、例えば、第１鏡筒２１にネジ穴を設け、このネジ穴にビスを取り付けて、第１鏡筒２１に挿入した第２鏡筒２３の外周面をビスの先端部で押し付けて固定しても良く、投写レンズ装置１０を移動させてピント調整を行った際に、第１レンズ群２０と第２レンズ群２２のレンズ間隔が変更しないように、第１鏡筒２１と第２鏡筒２３を一体に連結できるものであれば良い。
【００３２】
また、本実施形態では、第１鏡筒２１に当接部であるピン３６を設け、第２鏡筒２３に受け面である凸面２７及び凹面２８を設けたが、ピン３６を第２鏡筒２３に、凸面２７及び凹面２８を第１鏡筒２１に設けてもよい。
【図面の簡単な説明】
【００３３】
【図１】リアプロジェクション装置の断面図である。
【図２】投写レンズ装置に分解斜視図である。
【図３】ユニット本体の説明図である。
【図４】４０インチのスクリーンに対応させた投写レンズ装置の断面図である。
【図５】６０インチのスクリーンに対応させた投写レンズ装置の断面図である。
【符号の説明】
【００３４】
２  リアプロジェクション装置
６  スクリーン
７  平面鏡
８  プロジェクタ
１０  投写レンズ装置
２０  第１レンズ群
２１  第１鏡筒
２２  第２レンズ群
２３  第２鏡筒
２５  固定リング
２６  固定筒
２７  凸面
２８  凹面
４１  ピン
【図１】
2006023499.tif 000003
【図２】
2006023499.tif 000004
【図３】
2006023499.tif 000005
【図４】
2006023499.tif 000006
【図５】
2006023499.tif 000007